(57)【要約】      （修正有）【課題】中空ボール体が空気を入れた状態において、センサーを中空ボール体の中心位置に位置させて、中空ボール体を利用する際における重心の偏りを防止できると同時に、センサーを介して、計測、収集された運動情報を活用して、トレーニング効果を向上させるセンサーの位置決め構造を提供する。【解決手段】中心位置を有する中空ボール体４０の内部に設置されているセンサー５０を位置決めする、センサーの位置決め構造であって、耐熱材からなる連結アセンブリ１０ａと断熱ユニット２０を備え、連結アセンブリは、中空ボール体の内周壁面に連結される複数の連結部材１１ａを含み、断熱ユニットは、センサーを覆い包むと共に、中空ボール体の内部に設置されるように、連結ユニットの連結部材に連結され、これにより、断熱ユニットが、中空ボール体の中心位置に位置決めされる。【選択図】図１
0003225555.tif 000002
【実用新案登録請求の範囲】
【請求項１】
中心位置を有する中空ボール体の内部に設置されているセンサーを位置決めする、センサーの位置決め構造であって、耐熱材からなる連結アセンブリと断熱ユニットを備え、
前記連結アセンブリは、前記中空ボール体の内周壁面に連結される複数の連結部材を含み、
前記断熱ユニットは、前記センサーを覆い包むと共に、前記中空ボール体の内部に設置されるように、前記連結ユニットの連結部材に連結され、これにより、該断熱ユニットが、該中空ボール体の中心位置に位置されることを特徴とする、センサーの位置決め構造。
【請求項２】
前記各連結部材は、中空又は中実の筒状構造であることを特徴とする前記請求項１に記載の、センサーの位置決め構造。
【請求項３】
前記複数の連結部材はそれぞれ、一端が前記中空ボール体の内周壁面に連結され、他端が前記断熱ユニットの外周面に連結されることを特徴とする前記請求項２に記載の、センサーの位置決め構造。
【請求項４】
前記各連結部材は、相対する両端がそれぞれ、前記中空ボール体の内周壁面に連結され、該複数の連結部材がそれぞれ、該中空ボール体の中心位置で交差し、前記断熱ユニットが、該複数の連結部材の交差位置に設置されることを特徴とする前記請求項２に記載の、センサーの位置決め構造。
【請求項５】
前記各連結部材の中央位置に、他の連結部材に挿通させるための穿設孔が形成されることを特徴とする前記請求項４に記載の、センサーの位置決め構造。
【請求項６】
前記中空ボール体の内周壁面に形成され、前記複数の連結部材を位置決めして連結するために用いられる複数の位置決めジョイントを備えることを特徴とする前記請求項１から請求項５のいずれか１項に記載の、センサーの位置決め構造。
【考案の詳細な説明】
【技術分野】
【０００１】
本考案は、位置決め構造に関し、特に中空ボール体に適用され、且つセンサーを位置決めする、センサーの位置決め構造に関するものである。
【背景技術】
【０００２】
従来において、野球の分野を例とすると、トレーニング時に投げられたボールの飛行速度や、ボールを打つ時の打撃点などの情報をプロ選手たちに知らせる場合、一人の計測員が、計測機器を手で持って横に立って計測する必要があった。また、従来の方法では、ボールの飛行速度や打撃点などの情報を計測する場合、計測機器を別途購入し、また計測時には、計測員が必ず投球位置や打撃位置の近くに立たなければならないので、怪我の虞があった。
【０００３】
これに鑑み、その後、計測機能を有する野球のボールが既に市場に出回っていたが、このようなボールにおいては主に、中実な球芯にセンサーが設置されるものであり、プロの選手たちが使用する時は、まずセンサーを携帯装置に接続し、ボールが投げられたり打たれたりすると、センサーが検知した情報をデータに変換して、携帯装置に送信する。これにより、運動情報を収集する利便性を向上できると共に、怪我のリスクも軽減できる。
【０００４】
しかしながら、バスケットボールやバレーボール、サッカーなどの様々なボールは、中空ボール体であり、野球のような中実のボール体ではなく、また、バスケットボールやバレーボール、サッカーボールなどの中空ボールは、製造過程中に必ず加熱処理されることから、若し、センサーをボール体の内部に設置する場合、センサーを熱によるダメージから保護しなければなず、また、重心の偏りによる、ボールの移動や飛行経路への影響を防ぐため、ボールが膨らんでいる状態下で、センサーをボール体の中心に位置させる課題を克服する必要がある。
【０００５】
バスケットボールやバレーボール、サッカーボールなどの中空ボールを使うスポーツプレーヤーたちの、練習時の、関連情報を提供する練習効率の向上を図るため、ボール製造業者には、いかにセンサーを、製造過程中の熱によるダメージから保護すると共に、ボール体の中心に位置させるかという課題が残っている。
【考案の概要】
【考案が解決しようとする課題】
【０００６】
本考案は、上述したように、中空ボール体の内部にセンサーを設置しにくい課題を改善する、センサーの位置決め構造を提供することを目的としている。
【課題を解決するための手段】
【０００７】
上記目的を達成するために、本考案は、中心位置を有する中空ボール体の内部に設置されているセンサーを位置決めする、センサーの位置決め構造であって、耐熱材からなる連結アセンブリと断熱ユニットを備え、前記連結アセンブリは、前記中空ボール体の内周壁面に連結される複数の連結部材を含み、前記断熱ユニットは、前記センサーを覆い包むと共に、前記中空ボール体の内部に設置されるように、前記連結ユニットの連結部材に連結され、これにより、該断熱ユニットが、該中空ボール体の中心位置に位置される。
【考案の効果】
【０００８】
本考案のセンサーの位置決め構造は、断熱効果を持つ断熱ユニットを利用して、センサーを覆い包み、且つ耐熱材からなる連結部材を介して、該断熱ユニットを連結することで、中空ボール体における製造過程中の高熱環境による影響を克服するものである。
【０００９】
また、本考案のセンサーの位置決め構造は、連結部材を介して、断熱ユニットを位置決め連結し、中空ボール体に空気を入れると、該連結部材が引っ張られた状態となるので、断熱ユニット及び該断熱ユニット内のセンサーが、中空ボール体の中心位置に保持され、これにより、プレーヤーに異物感を感じさせないと共に、該中空ボール体が飛行や移動する際における、重心の偏りによる影響を解消できる。
【００１０】
さらに、本考案のセンサーの位置決め構造は、バスケットボールやバレーボール、サッカーなどの中空ボール体に適用できるが、上記製品に限定されるものではない。また、本考案によれば、中空ボール体を利用するスポーツプレーヤーたちは、中空ボール体の内部に設置されるセンサーを介して、様々な関連情報を収集できることから、良い参考データとなるので、トレーニング効果を高めることができる。
【図面の簡単な説明】
【００１１】
【図１】本考案に係るセンサーの位置決め構造が中空ボール体の内部に設置されている状態の第１実施例を示す模式図である。
【図２】本考案に係るセンサーの位置決め構造が中空ボール体の内部に設置されている状態の第２実施例を示す模式図である。
【図３】本考案に係るセンサーの位置決め構造が中空ボール体の内部に設置されている状態の第３実施例を示す模式図である。
【図４】図３の局部拡大模式図である。
【図５】図４のＡ―Ａ線断面模式図である。
【図６】図４のＢ―Ｂ線断面模式図である。
【考案を実施するための形態】
【００１２】
図１〜図３は、本考案に係るセンサーの位置決め構造の、複数の好適な実施例であり、それによると、本考案は、中空ボール体４０に使用すると共に、センサー５０を位置決めするものであり、該中空ボール体４０は、中心位置を有し、本考案に係るセンサーの位置決め構造は、耐熱材からなる連結アセンブリ１０ａ、１０ｂ、１０ｃと断熱ユニット２０を備える。
【００１３】
図１〜図３に示すように、前記連結アセンブリ１０ａ、１０ｂ、１０ｃは、複数の連結部材１１ａ、１１ｂ、１１ｃを含み、該複数の連結部材１１ａ、１１ｂ、１１ｃは、前記中空ボール体１０の内周壁面に連結される。尚、ここでの各連結部材１１ａ、１１ｂ、１１ｃは、中空又は中実の筒状構造であり、該複数の連結アセンブリ１０ａ、１０ｂ、１０ｃにおける各連結部材１１ａ、１１ｂ、１１ｃは、ガラス繊維などの耐熱材から製造される部材である。
【００１４】
図１〜図３に示すように、前記断熱ユニット２０は、前記センサーを覆い包むと共に、前記中空ボール体４０の内部に設置されるように、前記連結アセンブリ１０ａ、１０ｂ、１０ｃにおける連結部材１１ａ、１１ｂ、１１ｃに連結され、これにより、該断熱ユニット２０が、該中空ボール体４０の中心位置に配置される。尚、前記断熱ユニット２０は、ガラス繊維やテフロンなどの耐熱材からなる、薄いカバー状部材であってもよく、又は前記センサー５０の表面に耐熱塗料を塗布して被覆層を形成する工程を経て得たものであってもよい。
【００１５】
図１に示す、本考案に係るセンサーの位置決め構造の第１実施例においては、位置決めアセンブリが二つの連結部材１１ａを含み、図２に示す、本考案に係るセンサーの位置決め構造の第２実施例においては、位置決めアセンブリが三つの連結部材１１ｂを含み、図１、図２に示すように、ここでの前記各連結部材１１ａ、１１ｂは、一端が前記中空ボール体４０の内周壁面に連結され、他端が前記断熱ユニット２０の外周面に連結される。
【００１６】
また、図３に示した、本考案に係るセンサーの位置決め構造の第３実施例においては、位置決めアセンブリが二つの連結部材１１ｃを含み、ここでの各連結部材１１ｃは、相対する両端がそれぞれ、前記中空ボール体４０の内周壁面に連結され、該複数の連結部材１１ｃがそれぞれ、該中空ボール体４０の中心位置で交差し、前記断熱ユニット２０が、該複数の連結部材１１ｃの交差位置に設置される。さらに、図４、図５に示すように、前記各連結部材１１ｃの中央位置に、他の連結部材１１ｃに挿通させるための穿設孔１２が形成される。
【００１７】
さらに、図１、図２、図４、図６に示すように、本考案のセンサーの位置決め構造は、前記中空ボール体４０の内周壁面に形成される、前記複数の連結部材１１ａ、１１ｂ、１１ｃを位置決めして連結するために用いられる、複数の位置決めジョイント３０を備える。
【００１８】
本考案のセンサーの位置決め構造は、バスケットボールやバレーボール、サッカーボールなどの中空ボール体に適用できるが、上記製品に限定されるものではない。尚、前記連結部材１１ａ、１１ｂ、１１ｃの数や長さ、及び前記位置決めジョイント３０の数や体積の大きさはすべて、異なる種類の前記中空ボール体４０における、ボール空気圧規定値やボールの仕様によって異なる設定に変更できる。
【００１９】
前記連結アセンブリ１０ａ、１０ｂ、１０ｃは主に耐熱材からなるので、前記中空ボール体４０における製造過程中の高熱環境による、該連結アセンブリ１０ａ、１０ｂ、１０ｃへの影響を防止でき、且つ前記断熱ユニット２０の内部に、前記センサー５０を収納できることから、断熱ユニット２０の断熱効果により、該中空ボール体４０の製造過程中に、外部環境から該センサー５０に伝わる熱を抑え、製造過程中の高熱環境による、該センサー５０への影響を防止できる。
【００２０】
図１〜図３に示すように、本考案のセンサーの位置決め構造によれば、前記中空ボール体４０に空気を入れると、前記複数の連結部材１１ａ、１１ｂ、１１ｃからの張力により、前記断熱ユニット２０及び該断熱ユニット２０内のセンサー５０を、該中空ボール体４０の中心位置に保持させる。これにより、スポーツプレイヤーが、前記中空ボール体４０を利用する時に、前記断熱ユニット２０が、該中空ボール体４０の中心位置に位置されることから、重心の偏りが生じないので、該中空ボール体４０の移動や飛行経路への影響を防止できる。それに加え、本考案を使用する際には、前記中空ボール体４０内のセンサー５０を介して検知された運動中の運動情報を、データに変換して、スポーツプレイヤーの携帯装置に送信することで、スポーツプレイヤーが、収集された運動情報を活用できるので、運動動作を調整することにより、トレーニング効果を高めることができる。
【００２１】
上述したように、本考案のセンサーの位置決め構造は主に、前記連結アセンブリ１０ａ、１０ｂ、１０ｃを前記中空ボール体４０の内周壁面に連結する手段と、前記断熱ユニット２０内のセンサー５０の位置決め効果をもたらす手段とにより、該中空ボール体４０が空気を入れた状態において、該センサー５０を該中空ボール体４０の中心位置に位置させることで、該中空ボール体４０を利用する際における重心の偏りを防止できると同時に、該センサー５０を介して、計測、収集された運動情報を活用して、トレーニング効果を向上させることができる。
【符号の説明】
【００２２】
１０ａ、１０ｂ、１０ｃ  連結アセンブリ
１１ａ、１１ｂ、１１ｃ  連結部材
１２                        穿設孔
２０                        断熱ユニット
３０                        位置決めジョイント
４０                        中空ボール体
５０                        センサー
【図１】
0003225555.tif 000003
【図２】
0003225555.tif 000004
【図３】
0003225555.tif 000005
【図４】
0003225555.tif 000006
【図５】
0003225555.tif 000007
【図６】
0003225555.tif 000008
【手続補正書】
【提出日】令和2年1月15日(2020.1.15)
【手続補正１】
【補正対象書類名】実用新案登録請求の範囲
【補正対象項目名】請求項１
【補正方法】変更
【補正の内容】
【請求項１】
中心位置を有する中空ボール体の内部に設置されているセンサーを位置決めする、センサーの位置決め構造であって、耐熱材からなる連結アセンブリと断熱ユニットを備え、
前記連結アセンブリは、前記中空ボール体の内周壁面に連結される複数の連結部材を含み、
前記断熱ユニットは、前記センサーを覆い包むと共に、前記中空ボール体の内部に設置されるように、前記連結アセンブリの連結部材に連結され、これにより、該断熱ユニットが、該中空ボール体の中心位置に位置されることを特徴とする、センサーの位置決め構造。
【手続補正２】
【補正対象書類名】明細書
【補正対象項目名】０００７
【補正方法】変更
【補正の内容】
【０００７】
上記目的を達成するために、本考案は、中心位置を有する中空ボール体の内部に設置されているセンサーを位置決めする、センサーの位置決め構造であって、耐熱材からなる連結アセンブリと断熱ユニットを備え、前記連結アセンブリは、前記中空ボール体の内周壁面に連結される複数の連結部材を含み、前記断熱ユニットは、前記センサーを覆い包むと共に、前記中空ボール体の内部に設置されるように、前記連結アセンブリの連結部材に連結され、これにより、該断熱ユニットが、該中空ボール体の中心位置に位置される。